(57)【要約】【課題】  コネクタのハウジングを基板に固定するのに十分な強度を確保することができるコネクタ固定用金具を得る。【解決手段】  コネクタ固定用金具２４は、一対の爪部２６と、一対の爪部２６の間に当該一対の爪部２６と一体とされた突起部２８とを備える。コネクタ１０のハウジング１４に備えられたコネクタ固定用金具２４を基板１２の透孔１２Ａに挿入し、一対の爪部２６を基板１２の透孔１２Ａの下端側周縁に係合させてハウジング１４を基板１２に仮止めする。次いで、はんだ４０を用いて一対の爪部２６と突起部２８とを基板１２にはんだ付けし、ハウジング１４を基板１２に固定する。これにより、コネクタ固定用金具２４は、ハウジング１４を例えば一対の爪部のみで基板１２に固定する従来のコネクタ固定用金具に比して、全体としてはんだ４０との接合面積が増加する。【選択図】        図１
2006127873.tif 000002
【特許請求の範囲】
【請求項１】
基板に実装されるコネクタのハウジングを前記基板に取り付けるためのコネクタ固定用金具において、
前記ハウジングから前記基板に向けて突出して設けられ、前記基板に設けられた透孔の周縁に係合することで前記ハウジングを前記基板に仮止め状態とすると共に前記基板にはんだ付けされることで前記ハウジングを前記基板に固定する一対の爪部と、
前記一対の爪部の間に当該一対の爪部と一体的に突出して形成され、前記基板にはんだ付けされる突起部と、
を備えたことを特徴とするコネクタ固定用金具。
【発明の詳細な説明】
【技術分野】
【０００１】
本発明は、基板に実装されるコネクタのハウジングを基板に固定するためのコネクタ固定用金具に関する。
【背景技術】
【０００２】
プリント配線板等の基板に実装されるコネクタのハウジングを基板に固定するために、コネクタ固定用金具が用いられている。コネクタ固定用金具は、ハウジングに設けられており、一対の爪部を備えている。コネクタ固定用金具の一対の爪部は、基板に向けて突出しており、基板に設けられている透孔に挿入されて当該透孔の周縁に係合することでハウジングを基板に仮止めする。そして、透孔の周縁に係合した一対の爪部を基板にはんだ付けすることで、ハウジングが基板に固定されるようになっている（例えば、特許文献１参照）。
【０００３】
しかしながら、このようなコネクタ固定用金具の一対の爪部は、透孔に挿入される際に撓む必要があるため、互いに対向する側に若干弾性変形できるように骨細に形成されている。このため、一対の爪部をはんだ付けしても、はんだとの接合面積を十分には確保することができない。このため、ハウジングを基板に固定するのに十分な強度を得ることが困難な場合があり、強度を確保するための対策が望まれていた。
【特許文献１】実開昭６３−１９９４７３号公報
【発明の開示】
【発明が解決しようとする課題】
【０００４】
本発明は、上記問題点に鑑み、コネクタのハウジングを基板に固定するのに十分な強度を確保することができるコネクタ固定用金具を得ることを目的とする。
【課題を解決するための手段】
【０００５】
請求項１に記載の発明に係るコネクタ固定用金具は、基板に実装されるコネクタのハウジングを前記基板に取り付けるためのコネクタ固定用金具において、前記ハウジングから前記基板に向けて突出して設けられ、前記基板に設けられた透孔の周縁に係合することで前記ハウジングを前記基板に仮止め状態とすると共に前記基板にはんだ付けされることで前記ハウジングを前記基板に固定する一対の爪部と、前記一対の爪部の間に当該一対の爪部と一体的に突出して形成され、前記基板にはんだ付けされる突起部と、を備えたことを特徴とする。
【０００６】
請求項１に記載の発明に係るコネクタ固定用金具では、コネクタのハウジングに設けられた一対の爪部が基板に設けられた透孔に挿入され、この透孔の周縁に係合すると、ハウジングが基板に仮止めされる。
【０００７】
次いで、一対の爪部が基板にはんだ付けされる。一対の爪部が基板にはんだ付けされると、ハウジングが基板に固定される。
【０００８】
ここで、本コネクタ固定用金具は、一対の爪部と一体とされた突起部を備えている。突起部は、一対の爪部の間に突出しており、一対の爪部と共に基板にはんだ付けされる。この結果、突起部は、基板に固定される。従って、本コネクタ固定用金具は、ハウジングを例えば一対の爪部のみで基板に固定する従来のコネクタ固定用金具に比して、全体としてはんだとの接合面積が増加する。これにより、ハウジングを基板に固定するのに十分な強度を確保することができる。
【発明の効果】
【０００９】
以上説明した如く本発明に係るコネクタ固定用金具は、コネクタのハウジングを基板に固定するのに十分な強度を確保することができる。
【発明を実施するための最良の形態】
【００１０】
本発明の実施の形態に係るコネクタ１０について、図１及び図２に基づいて説明する。なお、説明の都合上、各図に適宜矢印Ａにて示す方向を前方、矢印Ａと直交する矢印Ｂにて示す方向を右側方、矢印Ａ及び矢印Ｂの双方と直交する矢印Ｃにて示す方向を上方ということとする。
【００１１】
図１には基板１２（例えばプリント配線板）に実装されたコネクタ１０の概略が側面図にて示されている。また、図２にはコネクタ１０の概略が斜視図にて示されている。
【００１２】
コネクタ１０は、前方に開口部（図示省略）を有する略矩形箱状に形成されたハウジング１４を備えている。開口部の上下左右の縁部は、天板１６、底板１８、左右一対の側壁２０によって規定されている。天板１６、底板１８、及び左右一対の側壁２０は、開口部とは反対側の後端部で背壁２２によって互いに連結されている。これにより、上記のようにハウジング１４が略矩形箱状に形成されている。
【００１３】
このようなハウジング１４の側壁２０の各々には、その後方側に金具取付孔２０Ａが形成されている。金具取付孔２０Ａは、側壁２０の上下方向中央部から下端にかけて連続して形成されており、後方視にて側壁２０の下方にも開口した縦長のスリット状とされている。このような金具取付孔２０Ａの上端部は、後述のコネクタ固定用金具２４に対応して自身の中間部及び下端部よりも前方に窪んだ形状とされている。
【００１４】
このような金具取付孔２０Ａの各々には、金属から成るコネクタ固定用金具２４が配置されている。コネクタ固定用金具２４は、コネクタ固定用金具２４に対応して略Ｌ字状に形成されており、側壁２０の後方から金具取付孔２０Ａに圧入されることでハウジング１４の側壁２０に取り付けられている。このようなコネクタ固定用金具２４は、自身の上端部がコネクタ固定用金具２４の上端部に係合しており、側壁２０から下方に抜け止めされた状態とされている。
【００１５】
金具取付孔２０Ａは、一対の爪部２６を備えている。一対の爪部２６は、互いに対向する方向に若干弾性変形可能とされており、コネクタ固定用金具２４が側壁２０に係合している状態ではハウジング１４から基板１２に向けて突出している。爪部２６は、基板１２に設けられた透孔１２Ａに上方から挿入されてその先端部２６Ａが基板１２の下方（裏面側）に突出している。爪部２６の先端部２６Ａの各々は、前後方向において互いに離間する方向に幾分突出した形状とされており、ハウジング１４の底板１８を基板１２上に載置した状態では爪部２６が弾性変形した状態から自然状態に復帰し、先端部２６Ａが基板１２の透孔１２Ａの下端側周縁に係合する。これにより、コネクタ固定用金具２４、ひいてはコネクタ１０のハウジング１４が基板１２に仮止め状態とされる。またさらに、一対の爪部２６は、はんだ４０（図１参照）を用いて基板１２にはんだ付けされることでハウジング１４を基板１２に固定する。
【００１６】
このような一対の爪部２６の間には、突起部２８が一対の爪部２６と一体的に形成されている。突起部２８は、コネクタ固定用金具２４が側壁２０に係合した状態ではハウジング１４から基板１２に向けて突出しており、ハウジング１４の底板１８を基板１２上に載置した状態では先端部２８Ａが基板１２の下方に突出している。このような突起部２８は、ハウジング１４の仮止め状態で基板１２にはんだ付けされる。
【００１７】
すなわち、コネクタ１０では、コネクタ固定用金具２４を基板１２の透孔１２Ａに挿入してハウジング１４が基板１２に仮止めされた状態で、一対の爪部２６の各先端部２６Ａと突起部２８の先端部２８Ａとが基板１２にはんだ付けされることでハウジング１４が基板１２上に固定されるようになっている。このように、コネクタ１０は、はんだ付けによって基板１２上に実装されるようになっている。
【００１８】
次に、本発明の実施の形態に係るコネクタ１０の作用について説明する。
【００１９】
まず、コネクタ１０のハウジング１４を構成する一対の側壁２０の各々に設けられたコネクタ固定用金具２４が、基板１２に設けられた透孔１２Ａに挿入される。この挿入時において、一対の爪部２６は、互いに対向する方向に若干弾性変形し、自身の持つ弾性力によりその先端部２６Ａの各々が透孔１２Ａの内周部を撫でながら透孔１２Ａ内を移動する。
【００２０】
このようにして一対の爪部２６が透孔１２Ａに挿入されてハウジング１４の底板１８が基板１２上に載置されると、一対の爪部２６の先端部２６Ａが基板１２の下方に突出し、一対の爪部２６の持つ弾性力によって弾性変形した状態から自然状態に復帰する。
【００２１】
一対の爪部２６の先端部２６Ａが自然状態に復帰すると、各先端部２６Ａが基板１２の透孔１２Ａの下端側周縁に係合し、ハウジング１４が基板１２に仮止めされる。
【００２２】
この仮止め状態では、コネクタ固定用金具２４の突起部２８は、一対の爪部２６と共に基板１２の透孔１２Ａを挿通し、その先端部２８Ａが基板１２の下方に突出する。
【００２３】
次いで、一対の爪部２６の先端部２６Ａの各々と突起部２８の先端部２８Ａとが基板１２にはんだ付けされる。この結果、ハウジング１４が基板１２に固定される。
【００２４】
ここで、コネクタ固定用金具２４は、ハウジング１４を例えば一対の爪部のみで基板１２に固定する従来のコネクタ固定用金具に比して、全体としてはんだ４０との接合面積が増加する。
【００２５】
従って、本コネクタ固定用金具２４は、ハウジング１４を基板１２に固定するのに十分な強度を確保することができる。
（変形例１）
以下に、本コネクタ固定用金具２４の変形例について説明する。
【００２６】
本変形例は、一対の爪部２６の先端部２６Ａと突起部２８の先端部２８Ａとの形状をそれぞれ変更したものである。
【００２７】
例えば、図３に示されるように、コネクタ固定用金具２４は、各爪部２６の先端部２６Ａにおいて突起部２８の先端部２８Ａと対向する箇所を鋸の歯の如くギザギザ形状とすると共に、突起部２８の先端部２８Ａにおいて各爪部２６の先端部２６Ａと対向する箇所を爪部２６の先端部２６Ａと対応してギザギザ形状としてもよい。
【００２８】
また例えば、図４に示されるように、コネクタ固定用金具２４は、各爪部２６の先端部２６Ａにおいて突起部２８の先端部２８Ａと対向する箇所を突起部２８の先端部２８Ａ側に幾分突出した形状とすると共に、突起部２８の先端部２８Ａにおいて各爪部２６の先端部２６Ａと対向する箇所を爪部２６の先端部２６Ａと対応して幾分前後方向中央部に向けて切り欠かれた形状としてもよい。
【００２９】
また例えば、図５に示されるように、コネクタ固定用金具２４は、その突起部２８の先端部２８Ａにおいて、下方から上方に向けて切り欠かれた縦長のスリット状の切欠き３８が前後方向に複数（図５においては、２つ）設けられた形状としてもよい。
【００３０】
これらの図３乃至図５に示されるように、爪部２６の先端部２６Ａ及び突起部２８の先端部２８Ａの少なくとも一方の表面積を前述の実施の形態で説明したコネクタ固定用金具２４（図１及び図２参照）よりも大きくし、はんだ４０との接合面積を増やしても良い。
（変形例２）
以下に、本コネクタ固定用金具２４の他の変形例について説明する。
【００３１】
本変形例は、一対の爪部２６の中間部（ハウジング１４の仮止め状態で基板１２の透孔１２Ａ内に位置する部分）の形状を変更したものである。
【００３２】
例えば、図６（Ａ）に示されるように、コネクタ固定用金具２４は、その爪部２６の中間部の形状をハウジング１４の左右方向外側に向けて張り出す形状としてもよい。これにより、図６（Ｂ）に示されるように、ハウジング１４の底板１８を基板１２上に載置した状態では、一対の爪部２６の中間部が基板１２の透孔１２Ａの内周壁であって上記左右方向外側の面を押圧することになり、ハウジング１４をより一層確実に仮止めすることができる。従って、この仮止め状態でコネクタ固定用金具２４を基板１２にはんだ付けする際には、ハウジング１４が基板１２に確実に保持された状態ではんだ付けを行うことができるため、はんだ付け後にはハウジング１４を基板１２により一層確実に固定することができる。
【００３３】
このように、本コネクタ固定用金具２４は、爪部２６の中間部と突起部２８の中間部の少なくとも一方を上記左右方向外側に張り出すように湾曲させてもよい。
【図面の簡単な説明】
【００３４】
【図１】本発明の実施の形態に係るコネクタ固定用金具の概略を示す側面図であり、ハウジングを基板に固定した状態の図である。
【図２】コネクタ固定用金具の概略を示す斜視図である。
【図３】コネクタ固定用金具の変形例を示す図である。
【図４】コネクタ固定用金具の変形例を示す図である。
【図５】コネクタ固定用金具の変形例を示す図である。
【図６】コネクタ固定用金具の他の変形例を示す図であり、（Ａ）はコネクタ固定用金具の要部の概略を示す斜視図、（Ｂ）はハウジングの仮止め状態におけるコネクタ固定用金具の要部の概略を示す断面図である。
【符号の説明】
【００３５】
１０    コネクタ
１２    基板
１４    ハウジング
２４    コネクタ固定用金具
２６    爪部
２８    突起部
４０    はんだ
【図１】
2006127873.tif 000003
【図２】
2006127873.tif 000004
【図３】
2006127873.tif 000005
【図４】
2006127873.tif 000006
【図５】
2006127873.tif 000007
【図６】
2006127873.tif 000008